(57)【特許請求の範囲】
【請求項１】
把持用の軸部と、この軸部の一端から延出する作用部とを備えるバールであって、
この作用部の軸部に対する角度が鈍角であり、
上記軸部と作用部との連結部付近の背側に、山状突起部を備えており、
この山状突起部が、金槌で殴打可能であり作用部に対して垂直な面と、金槌で殴打可能であり軸部に対して垂直な面とを有することを特徴とするバール。
【請求項２】
上記作用部の軸部に対する角度が１２０°以上１５０°以下である請求項１に記載のバール。
【請求項３】
上記作用部が、薄型かつ幅広の楔状に形成されている請求項１又は２に記載のバール。
【発明の詳細な説明】
【０００１】
【発明の属する技術分野】
本発明は、てこ、釘抜きなどに用いるバールに関するものである。
【０００２】
【従来の技術】
上記バールは、一般的な建築工具であり、例えばコンクリートを特定の型に固めるための仮枠の建込みなどに用いられている。このバール１１は、一般的には図４に示すように、把持するための軸部１２と、この軸部１２の一端から延出する作用部１３とを備えている。この作用部１３は、先端方向へ厚みを漸減する楔状に形成されており、図示していないが釘等の軸に係合させるためのＶ字状の切込が先端から形成されている。上記構造のバール１１において、軸部１２と作用部１３との角度は略垂直とされている。
【０００３】
【発明が解決しようとする課題】
上記バール１１は、釘抜き以外にテコとしても多用される。例えば、上記仮枠の建込みにおいて、仮枠を構成するパネルの隙間に作用部１３を挿入し、軸部１２を背側に回転させることで、テコの原理でパネルをずらす作業に用いられる。かかる作業において、上記従来のバール１１は作用部１３が軸部１２の一端から略垂直に延出しているため、各パネルの隙間に作用部１３を挿入すると、軸部１２がパネルと近接し、その結果、作業がしづらくなる、パネルの隙間への作用部１３の挿入が困難になるなどの不都合がある。
【０００４】
上記仮枠の建込み以外の作業でも同様であり、一般にバール１１をテコとして用いる場合、作用部１３を対象物に当接すると、軸部１２と対象物とが近接し、上記と同様の不都合がある。
【０００５】
かかる不都合を回避するためには、釘抜き用のバール１１とともに、テコとして用いるのに好適なバールを別に装備する必要があり、作業者の負担が増大している。
【０００６】
本発明はこれらの不都合に鑑みてなされたものであり、テコとして用いるのに好適なバールの提供を目的とするものである。
【０００７】
【課題を解決するための手段】
上記課題を解決するためになされた発明は、把持用の軸部と、この軸部の一端から延出する作用部とを備えるバールであって、この作用部の軸部に対する角度が鈍角であることを特徴とするものである。ここで、「作用部の軸部に対する角度」とは、軸部の中心軸に対する作用部の中心線（直線に近似したもの。以下同じ）の角度を意味する。
【０００８】
当該バールによれば、作用部と軸部との角度が鈍角とされているため、テコとして用いる場合、対象物に対して軸部を所定の角度及び間隔を保った状態で、作用部を対象物に当接することができる。例えば、仮枠の建込みにおいて、パネルの隙間に作用部を挿入すると、軸部がパネル表面に対して所定の角度で傾斜し、軸部の他端側（後端側）ではパネルとの間隔が比較的大きくなる。そのため、パネルの隙間への作用部の挿入作業が容易になり、さらに作用部挿入後に軸部を回転させる作業も容易になる。
【０００９】
また、当該バールを釘抜きとして用いる場合、打設された釘の軸に作用部を係合させると、軸部は打設面に対して背側に所定の角度傾斜した状態となり、この軸部を断面図側へ押圧することで、釘が抜ける。このように、釘抜き作業も容易になる。
【００１０】
当該バールにおいて、上記作用部の軸部に対する角度としては１２０°以上１５０°以下が好ましい。軸部と作用部との夾角を上記範囲とすることで、テコとして用いる場合の上記良好な作業性を効果的に奏することができる。
【００１１】
また、上記軸部と作用部との連結部付近の背側（大交角側）に山状突起部を備え、この山状突起部が作用部に対して垂直な面を有するとよい。ここで、「作用部に対して垂直な面」とは、作用部の中心線に対して垂直な面を意味する。この手段によれば、この山状突起部が支点となり、釘抜き、テコなどとしての機能性及び作業性が良好になる。また、この山状突起部が作用部に対して垂直な面（以下、「作用部に対する垂直面」という）を有することから、この作用部に対する垂直面を金槌等で殴打することで、作用部を目的の個所（例えば、仮枠を構成するパネルの隙間、釘の頭部と打設面との隙間など）に容易かつ確実に挿入することができる。
【００１２】
さらに、上記作用部を、薄型かつ幅広の楔状に形成するとよい。ここで、「薄型かつ幅広」とは、従来の一般的なバールの作用部（釘抜き部）と比較して薄くかつ拡幅していることを意味する。この手段によれば、作用部を狭い隙間に挿入することが容易になり、例えば仮枠の建込みにおいてパネルをずらす作業に好適となる。
【００１３】
【発明の実施の形態】
以下、適宜図面を参照しつつ本発明の実施の形態を詳説する。図１は本発明の一実施形態に係るバールを示す斜視図で、図２は図１のバールを示す側面図で、図３（ａ）〜（ｄ）は図１のバールの使用方法を示す説明図である。
【００１４】
図１のバール１は、軸部２と、作用部３と、山状突起部４とを備えている。
【００１５】
この軸部２は、作業者が把持し、力を負荷する棒状体である。この軸部２の断面形状は、特に限定されないが、作用部３の方向制御、把持し易さ等の点から角部が丸められら方形が好ましい。また、軸部２の後端部５は、端側ほど縮径する鋭角円錐状に形成されており、釘締め、穴開け、針金による締結の締め付けなどに用いられる。さらに、軸部２には、貫通穴６が穿設されており、ストラップの取り付け、壁掛け収納等の便に供される。
【００１６】
作用部３は、軸部２の先端から延出しており、先端方向へ厚みが漸減する楔状に形成されている。また、この作用部３は、一般的な釘抜きの作用部より薄型かつ幅広に形成されている。さらに、作用部３には、釘抜き用に釘軸に係合させるためのＶ字状の切込７が先端から軸部２方向に形成されている。
【００１７】
当該バール１において、作用部３の軸部２に対する角度Ｘが鈍角になるよう形成されており、軸部２の中心軸と作用部３の中心線とを含む面に対して作用部３の楔面とが垂直になるよう形成されている。
【００１８】
この角度Ｘの下限としては１２０°が好ましく、１３０°が特に好ましい。一方、上記角度Ｘの上限としては１５０°が好ましく、１４０°が特に好ましい。これは、角度Ｘを上記下限以上とすることで、テコとして用いる場合の良好な作業性を効果的に奏することができるからであり、逆に、角度Ｘが上記上限を超えると、軸部２を背側に回転させることができる角度範囲及び作用部３の先端部の稼働範囲が小さくなり、釘抜きとして用いる場合の作業性が低下することからである。
【００１９】
山状突起部４は、軸部２と作用部３との連結部付近の背側に突設されている。この山状突起部４が支点となり、当該バール１は釘抜き及びテコとして良好に用いられる。また、この山状突起部４は、作用部３に対する垂直面８と、軸部２の中心軸に対する垂直面９とを有している。
【００２０】
上記構造のバール１のサイズとしては、特に限定されるものではなく使用用途や素材の強度などを考慮して適宜設計することができる。例えば、仮枠の建込み用のバール１のサイズとしては、軸部２の長さを約２５０ｍｍ、軸部２の断面形状を約１５ｍｍ×１２ｍｍ、作用部３の長さを約９５ｍｍ、作用部３の最大幅を約２５ｍｍ、作用部３の最大幅部分の厚さを約５ｍｍ、山状突起部４の高さを約２５ｍｍとされる。
【００２１】
当該バール１を構成する材料としては、釘抜き、テコ等として要求される所定の強度を有するものであれば特に限定されるものではなく、例えば炭素工具鋼（ＳＫ材）、合金工具鋼（ＳＫＳ材、ＳＫＤ材、ＳＫＴ材）などが用いられる。
【００２２】
当該バール１の製造方法としては、特に限定されるものではなく、一般的には熱間型鍛造による一体成形が採用される。
【００２３】
次に、当該バール１の使用方法について説明する。まず、当該バール１を釘抜きとして用いる方法を説明する。図３（ａ）に示すように、山状突起部４の作用部３に対する垂直面８を金槌２３等で殴打することで、釘２１の頭部２１ａと打設面２２との隙間に当該バール１の作用部３を挿入する。このとき、作用部３が薄くかつ幅広に形成されているため、上記作用部３の挿入が容易である。この状態で、バール１の軸部２は背側に傾斜しているため、軸部２を把持し、背側かつ下方に押す、力を作用させやすい簡単な動作により、容易に釘２１を抜くことができる。
【００２４】
また、釘締めや、金槌２３等で直接釘２１を打設するのが困難な個所への釘打ちに用いる方法としては、図３（ｂ）に示すように、釘２１の頭部２１ａにバール１の軸部２の後端部５を垂直に当接し、軸部２に対する垂直面９を金槌２３等で殴打することで釘打ち、釘締め等を容易に行うことができる。
【００２５】
さらに、テコとして用い、例えば仮枠を構成するパネル２４をパネル面に沿ってずらす作業を説明する。まず、図３（ｃ）に示すように、パネル２４の隙間にバール１の作用部３を挿入する。バール１の軸部２と作用部３との角度が上述のように鈍角とされていることから、この状態において、パネル２４に対してバール１の軸部２が所定の角度で傾斜し、軸部２の先端ほどパネル２４との間隔が大きくなっており、その結果、当該バール１の作用部３をパネル２４の隙間に挿入する作業及び軸部２を背側に回転させてパネル２４をずらす作業が容易になる。さらに、作用部３が薄くかつ幅広に形成されているため、この点からも上記作用部３の挿入及びパネル２４のすらし作業の容易性が促進される。
【００２６】
一方、パネル２４をパネル面と垂直にずらし、隣接する各パネル２４を面一に修正する作業としては、図３（ｄ）に示すように、奥側のパネル２４ａに釘２１を浅く打設し、この釘２１に手前側のパネル２４ｂの方から当該バール１の作用部３を係合させ、この状態でバール１の軸部２を背側に回転させることで、隣接するパネル２４ａとパネル２４ｂとを相対的にずらし、面一に修正することができる。かかる作業において、当該バール１の作用部３が軸部２に対して鈍角に延出しているため、釘２１への係合が容易であり、ひいては各パネル２４を面一に修正する作業性が促進される。
【００２７】
なお、本発明のバールは上記実施形態に限定されるものではなく、例えば、軸部２の後端部５には楔状の釘抜き部を形成することも可能である。
【００２８】
【発明の効果】
以上説明したように、本発明のバールによれば、軸部に対して作用部が鈍角に延出しているため、特にテコとして用いる場合の作業性が良好であり、例えば仮枠の建込みに好適である。
【図面の簡単な説明】
【図１】本発明の一実施形態に係るバールを示す斜視図である。
【図２】図１のバールを示す側面図である。
【図３】（ａ）〜（ｄ）は図１のバールの使用方法を示す説明図である。
【図４】従来の一般的なバールを示す側面図である。
【符号の説明】
１・・・バール
２・・・軸部
３・・・作用部
４・・・山状突起部
５・・・後端部
６・・・貫通穴
７・・・切込
８・・・作用部に対する垂直面
９・・・軸部に対する垂直面
２１・・・釘
２１ａ・・・頭部
２２・・・打設面
２３・・・金槌
２４・・・パネル
２４ａ・・・パネル
２４ｂ・・・パネル
【図１】
0004436578.tif 000002
【図２】
0004436578.tif 000003
【図３】
0004436578.tif 000004
【図４】
0004436578.tif 000005